(57)【要約】【課題】ＯＨＰ用紙やインデックス紙を画像形成用紙として用いる場合にも、画質、給送信頼性を確保することができる画像形成装置を提供することである。【解決手段】電子写真方式の画像形成装置において、画像形成用紙としてＯＨＰ用紙を用いて白紙の合紙を利用する場合や、インデックス紙を用いる場合に、用いられる用紙に応じて、画像形成に関する各種条件を調整することを特徴とする。【選択図】　図１
2004085680.tif 000002
【特許請求の範囲】
【請求項１】
感光体と、前記感光体に帯電させる帯電装置と、前記感光体に形成された静電潜像をトナー像化する現像装置と、前記現像装置によるトナー像を用紙に転写する転写装置と、前記感光体と前記用紙とを分離させる分離装置と、現像後分離前までの間で前記感光体を照射する除電ランプと、ユーザが操作入力する操作部と、前記操作部からの入力に基づいて画像形成の制御を行う制御部とを有する電子写真方式の画像形成装置において、
前記操作部が、前記用紙としてＯＨＰ用紙を用い、排紙の際に白紙の合紙を用いる旨をユーザが入力するモード入力手段を有し、
前記制御部が、前記モード入力手段によって前記用紙としてＯＨＰ用紙を用い、排紙の際に白紙の合紙を用いる旨が入力された場合に、前記ＯＨＰ用紙に画像形成して排紙する際と、前記ＯＨＰ用紙のそれぞれの間に挿入する白紙を排紙する際とで、前記帯電装置による帯電電位、前記転写装置による転写電流、前記分離装置による分離電流および前記除電ランプの輝度のうちの少なくとも１つを異ならせることを特徴とする画像形成装置。
【請求項２】
前記制御部が、前記ＯＨＰ用紙のそれぞれの間に挿入する白紙を排紙する際の前記帯電電位が、前記ＯＨＰ用紙に画像形成して排紙する際の前記帯電電位よりも低くなるように制御することを特徴とする請求項１に記載の画像形成装置。
【請求項３】
前記制御部が、前記ＯＨＰ用紙のそれぞれの間に挿入する白紙を排紙する際の前記転写電流が、前記ＯＨＰ用紙に画像形成して排紙する際の前記転写電流よりも低くなるように制御することを特徴とする請求項１に記載の画像形成装置。
【請求項４】
前記制御部が、前記ＯＨＰ用紙のそれぞれの間に挿入する白紙を排紙する際の前記分離電流が、前記ＯＨＰ用紙に画像形成して排紙する際の前記分離電流よりも高くなるように制御することを特徴とする請求項１に記載の画像形成装置。
【請求項５】
前記制御部が、前記ＯＨＰ用紙のそれぞれの間に挿入する白紙を排紙する際の前記除電ランプの輝度が、前記ＯＨＰ用紙に画像形成して排紙する際の前記除電ランプの輝度よりも高輝度になるように制御することを特徴とする請求項１に記載の画像形成装置。
【請求項６】
感光体と、前記感光体に帯電させる帯電装置と、前記感光体に形成された静電潜像をトナー像化する現像装置と、前記現像装置によるトナー像を用紙に転写する転写装置と、前記感光体と前記用紙とを分離させる分離装置と、ユーザが操作入力する操作部と、前記操作部からの入力に基づいて画像形成の制御を行う制御部とを有する電子写真方式の画像形成装置において、
前記用紙の紙送り方向と直角方向の長さを用紙幅として検出する用紙幅検出手段を備え、
前記制御部が、前記用紙幅検出手段による検出結果に基づいて、前記転写装置による転写電流および前記分離装置による分離電流を制御することを特徴とする画像形成装置。
【請求項７】
前記用紙が、前記用紙幅が不連続に変化するものであり、前記用紙幅検出手段が該不連続な用紙幅の変化を検出するものであることを特徴とする請求項６に記載の画像形成装置。
【発明の詳細な説明】
【０００１】
【発明の属する技術分野】
本発明は、電子写真方式により用紙に画像形成する画像形成装置に関する。
【０００２】
【従来の技術】
一様に帯電させた感光体の感光層に光を当てて潜像を形成し、この感光層にトナーを付着させて現像し、これを用紙に転写して画像形成を行う複写機等の電子写真方式の画像形成装置がよく知られている。
【０００３】
このような画像形成装置で画像形成に用いる用紙として従来は一定の規格に準じた長方形の普通の紙の用紙を用いるのが通常であった。
【０００４】
ところが最近では、様々な質や形状の用紙に画像形成する用途が増えてきている。たとえば、複数の人に対して画像を投影して見せるための透明なシートであるＯＨＰ用紙や、書類をファイリングする際の仕切りとして用いる用紙であってその用紙の一辺にインデックスを記入する耳部を有するインデックス用紙などである。
【０００５】
また、このような状況において、ＯＨＰ用紙は画像形成直後に重ねると静電気等により互いが吸着してしまい扱いにくいものであった。そこで、ＯＨＰ用紙に画像形成後に排紙する際には、ＯＨＰ用紙とＯＨＰ用紙との間に普通の紙の用紙を排紙して挿入する（以下、この挿入する用紙を「合紙」という）ことによってＯＨＰ用紙どうしが直接触れないようにし、扱いやすさを向上する方法が知られている。
【０００６】
【発明が解決しようとする課題】
ところで、電子写真方式の画像形成装置では、上述のように、感光体に用紙を吸着させて感光体上の現像画像を用紙に転写させる転写プロセスや、その後に、転写後の用紙を感光体から分離させる分離プロセスが必要となる。
【０００７】
この転写プロセスや分離プロセスの具合が悪いと、用紙への画像転写の不良による画質の劣化や感光体からの用紙の分離不良による紙詰まり等が生じてしまうことになる。
【０００８】
ところが、上述のように、ＯＨＰ用紙に画像形成する際に合紙を用いたり、インデックス紙に画像形成する場合のような用途について、従来の画像形成装置では対応されていないのが現状であった。
【０００９】
たとえば、ＯＨＰ用紙に画像形成する際に合紙を利用する場合、給紙トレイにセットされた白紙を合紙として排出する際には、合紙を通常の画像形成される用紙と同じ経路で搬送し、感光体に吸い付けられた合紙を分離プロセスによって感光体から分離した後に排紙する。
【００１０】
ところが、ＯＨＰ用紙に対しては画像転写のための帯電がされるが、白紙の合紙には画像転写する必要がないので帯電はされず、また、ＯＨＰ用紙と合紙との質の違いもあり、このため従来の画像形成装置では、交互にＯＨＰ用紙と合紙とが搬送される際に、合紙の感光体からの分離がスムーズに行われず、紙詰まりが生じるおそれがあるという問題があった。
【００１１】
また、インデックス紙に画像形成する場合では、インデックス紙が画像転写のために感光体に供給された際、感光体表面の曲面に対するインデックス紙の耳部の吸着が弱く、耳部に画像形成したい場合にその画像転写が正常に行われないおそれがあるという問題があった。
【００１２】
本発明は上記の点にかんがみてなされたもので、ＯＨＰ用紙やインデックス紙を画像形成用紙として用いる場合にも、画質、給送信頼性を確保することができる画像形成装置を提供することを目的とする。
【００１３】
【課題を解決するための手段】
本発明は上記の目的を達成するために、感光体と、前記感光体に帯電させる帯電装置と、前記感光体に形成された静電潜像をトナー像化する現像装置と、前記現像装置によるトナー像を用紙に転写する転写装置と、前記感光体と前記用紙とを分離させる分離装置と、現像後分離前までの間で前記感光体を照射する除電ランプと、ユーザが操作入力する操作部と、前記操作部からの入力に基づいて画像形成の制御を行う制御部とを有する電子写真方式の画像形成装置において、前記操作部が、前記用紙としてＯＨＰ用紙を用い、排紙の際に白紙の合紙を用いる旨をユーザが入力するモード入力手段を有し、前記制御部が、前記モード入力手段によって前記用紙としてＯＨＰ用紙を用い、排紙の際に白紙の合紙を用いる旨が入力された場合に、前記ＯＨＰ用紙に画像形成して排紙する際と、前記ＯＨＰ用紙のそれぞれの間に挿入する白紙を排紙する際とで、前記帯電装置による帯電電位、前記転写装置による転写電流、前記分離装置による分離電流および前記除電ランプの輝度のうちの少なくとも１つを異ならせることを特徴とする。
【００１４】
また本発明は、請求項１に記載の発明において、前記制御部が、前記ＯＨＰ用紙のそれぞれの間に挿入する白紙を排紙する際の前記帯電電位が、前記ＯＨＰ用紙に画像形成して排紙する際の前記帯電電位よりも低くなるように制御することを特徴とする。
【００１５】
また本発明は、請求項１に記載の発明において、前記制御部が、前記ＯＨＰ用紙のそれぞれの間に挿入する白紙を排紙する際の前記転写電流が、前記ＯＨＰ用紙に画像形成して排紙する際の前記転写電流よりも低くなるように制御することを特徴とする。
【００１６】
また本発明は、請求項１に記載の発明において、前記制御部が、前記ＯＨＰ用紙のそれぞれの間に挿入する白紙を排紙する際の前記分離電流が、前記ＯＨＰ用紙に画像形成して排紙する際の前記分離電流よりも高くなるように制御することを特徴とする。
【００１７】
また本発明は、請求項１に記載の発明において、前記制御部が、前記ＯＨＰ用紙のそれぞれの間に挿入する白紙を排紙する際の前記除電ランプの輝度が、前記ＯＨＰ用紙に画像形成して排紙する際の前記除電ランプの輝度よりも高輝度になるように制御することを特徴とする。
【００１８】
また本発明は、感光体と、前記感光体に帯電させる帯電装置と、前記感光体に形成された静電潜像をトナー像化する現像装置と、前記現像装置によるトナー像を用紙に転写する転写装置と、前記感光体と前記用紙とを分離させる分離装置と、ユーザが操作入力する操作部と、前記操作部からの入力に基づいて画像形成の制御を行う制御部とを有する電子写真方式の画像形成装置において、前記用紙の紙送り方向と直角方向の長さを用紙幅として検出する用紙幅検出手段を備え、前記制御部が、前記用紙幅検出手段による検出結果に基づいて、前記転写装置による転写電流および前記分離装置による分離電流を制御することを特徴とする。
【００１９】
また本発明は、請求項６に記載の発明において、前記用紙が、前記用紙幅が不連続に変化するものであり、前記用紙幅検出手段が該不連続な用紙幅の変化を検出するものであることを特徴とする。
【００２０】
【発明の実施の形態】
以下、本発明の実施の形態を図面を参照して説明する。
【００２１】
図１は、本発明による画像形成装置の一実施の形態の構成を示す概略断面図である。本実施の形態では画像形成装置として電子写真方式の複写機を例に挙げて説明する。
【００２２】
ここで、図１を参照して本実施の形態の画像形成装置の構成および基本動作について説明する。
【００２３】
ユーザが画像形成装置に設けられた後述の操作部を操作し、コピーの指示を入力すると、自動原稿搬送部１の原稿給紙台１１に画像面を上向きにして載置され原稿は、送り出しローラ１２の動作により１枚ずつ送り出され、レジストローラ１３により一端停止されて先端が整えられた後、搬送ドラム１４に搬送され、搬送ドラム１４の面に沿って一体になり、搬送ドラム１４が反時計方向に回転する過程で画像読取部２によって画像面の読み取りが行われ、しかる後、ほぼ半周した位置においてドラム面より分岐し排紙台１５に排出される。また、両面読取においては、読取後の原稿を表裏反転し、搬送ドラム１４によって再度搬送して裏面読取を行う。
【００２４】
画像読取部２においては、光源２３ａとミラー２３ｂとを備える第１ミラーユニット２３が、前記搬送ドラム１４の真下の位置で、通過する原稿を順次照明して読み取り、原稿の移動方向に直交するように配置したミラー２４ａとミラー２４ｂとを備える第２ミラーユニット２４により反射し、結像レンズ２５を介してライン状の撮像素子２６に結像して画像情報を得る。また、この画像形成装置は、静止原稿台２７に原稿を載置し、前記ミラーユニット２３、２４が移動して読み取る機能も備えている。
【００２５】
画像読取部２において読み取られた原稿画像の画像情報は画像処理装置により画像処理が行われ画像情報として一旦メモリに格納される。
【００２６】
画像形成部３においては、画像情報がメモリより読み出されて露光装置３３に入力し、図示していないレーザ発光器から画像情報に従って変調されたレーザビームがポリゴンミラーの回転作動によって感光層を有する感光体ドラム３１に対する主走査露光を行う。帯電装置３２により前もって帯電電位を付与された感光体ドラム３１の軸方向のポリゴンミラーによる主走査と感光体ドラム３１の回転による副走査とが行われて感光体ドラム３１の感光層に静電潜像を形成する。その後、この静電潜像は現像装置４０で現像剤により反転現像されてトナー像すなわち現像画像とされる。
【００２７】
これに平行して用紙給紙装置としての手差し給紙トレイ１９または用紙を収容する本体給紙トレイ７から画像を形成するための用紙が給紙される。本体給紙トレイ７はたとえば７ａ、７ｂ、７ｃの３段を有し、各給紙ローラ５１Ａ、５１Ｂ、５１Ｃのいずれかが作動して用紙を搬出し、搬送ローラ５５、レジストローラ５６および搬送ローラ３９に給送されて、感光体ドラム３１上のトナー像に同期して感光体ドラム３１に給紙される。
【００２８】
用紙が貼りついた状態の感光体ドラム３１は、転写装置３５からの放電を受けるとともに除電ランプ（ＴＳＬ）４１からの光の照射を受け、これによって感光体ドラム３１上のトナー像は用紙側に転移して転写され、トナー像が転写された用紙は、分離装置３６において除電されて感光体ドラム３１から分離し、搬送ベルトを介して定着装置３８に搬送され、ヒーター３８ｃを有しこれによって加熱された定着用ローラ３８ｂと定着用ローラ３８ａとの間を通過する際に加熱圧着され、これによってトナーが定着され、排出部６の定着排紙ローラ６１より排紙され、排紙トレイ６４に排出される。
【００２９】
一方、用紙が分離されるとともに残留電位を除電された感光体ドラム３１はクリーニング装置３７において残留トナーを除去、清掃されて次なる画像形成のプロセスに入れるよう画像形成装置は構成されていて、すべての制御は制御部としてのＣＰＵにおいて行われる。
【００３０】
この画像形成装置においては、ＯＨＰ用紙に画像形成し、白紙の合紙を利用するモード（以下「ＯＨＰモード」という）を備え、このＯＨＰモードをユーザが操作部１０１によって選択することができる。
【００３１】
このＯＨＰモードにおいては、ユーザが予め、たとえば手差し給紙トレイ１９にＯＨＰ用紙をセットし、本体給紙トレイ７に合紙として用いる用紙を収容しておく。ユーザがＯＨＰモードを選択して画像形成を開始すると、手差し給紙トレイ１９からのＯＨＰ用紙の給紙と、本体給紙トレイ７からの合紙の給紙とが交互に行われ、ＯＨＰ用紙には画像形成がされる。
【００３２】
図２は、図１に示した画像形成装置の第１の実施例であってＯＨＰ用紙に画像形成する際に合紙を利用する場合の制御に関する構成を示すブロック図である。
【００３３】
図２に示すように、図１に示した帯電装置３２、転写装置３５および分離装置３６には高圧電源１００からの高電圧が供給され、ＣＰＵ１０２からの指示によって帯電装置３２、転写装置３５および分離装置３６の駆動電圧が調節される。またＣＰＵ１０２は、除電ランプ４１の輝度の調節も行う。
【００３４】
ユーザは、操作部１０１から、ＯＨＰ用紙に画像形成し、白紙の合紙を利用するＯＨＰモードを選択し、入力する。ＣＰＵ１０２では、この操作部１０１からの入力を受けて、帯電装置３２の帯電電位、転写装置３５の転写電流、分離装置３６の分離電流および除電ランプ４１の輝度を調節する。
【００３５】
図３は、図２に示した第１の実施例における制御概念のタイムチャートを示す図である。
【００３６】
本実施例では、図３に示すように、ＯＨＰ用紙の場合と合紙の場合とで、各種条件を異ならせる。たとえば、用紙すなわち転写材がＯＨＰ用紙の場合には、転写装置３５における転写電流を高くし、分離装置３６における分離電流を低くし、除電ランプ４１の輝度を低輝度にし、帯電装置３２における帯電電位を高くする。これに対して、合紙の場合には、転写装置３５における転写電流を低くし、分離装置３６における分離電流を高くし、除電ランプ４１の輝度を高輝度にし、帯電装置３２における帯電電位を低くする。
【００３７】
ここで、本実施例の好ましい構成条件の一例を示す。
2004085680.tif 000003
この構成条件における、図３に示した各条件の制御値の具体例は下記の通りである。
【００３８】
ＯＨＰ用紙時の条件
転写Ｔｏｔａｌ電流：２００μＡ
分離Ｔｏｔａｌ電流：−１７０μＡ
除電ランプ：消灯
帯電電位：−７５０Ｖ
合紙時の条件
転写Ｔｏｔａｌ電流：５０μＡ
分離Ｔｏｔａｌ電流：−２００μＡ
除電ランプ：点灯
帯電電位：−６５０Ｖ
このようにすることにより、本実施例によれば、ＯＨＰ用紙に画像形成し、白紙の合紙を利用する際に、ＯＨＰ用紙および合紙のいずれの場合にも、感光体からの分離を問題なく行うことができるという効果がある。
【００３９】
なお、図２および図３においては、転写装置３５における転写電流、分離装置３６における分離電流、除電ランプ４１の輝度および帯電装置３２における帯電電位のすべての条件を制御するようにしているが、本発明はこれに限らず、いずれか１つの条件を制御するものであってもよい。
【００４０】
次に、インデックス紙に画像形成を行う場合について説明する。
【００４１】
この画像形成装置においては、画像形成に用いる用紙の幅（紙送り方向と直角の方向の長さ）を検出する用紙幅検出手段を有し、この用紙幅検出手段による検出結果に応じて画像形成の際の諸条件を制御する。
【００４２】
図４は、図１に示した画像形成装置の第２の実施例であってインデックス紙に画像形成する場合の制御に関する構成を示すブロック図である。
【００４３】
図４に示すように、図１に示した転写装置３５および分離装置３６には高圧電源１００からの高電圧が供給され、用紙幅検出手段５７の検出結果に基づくＣＰＵ１０４からの指示によって転写装置３５および分離装置３６の駆動電圧が調節される。ユーザは操作部１０３を操作して画像形成の指示を入力する。
【００４４】
図５は、図４に示した第２の実施例における用紙幅検出手段５７の一例を示す図であり、（ａ）は用紙幅検出手段５７の斜視図、（ｂ）は用紙幅検出手段５７の断面図である。
【００４５】
図５（ａ）および図５（ｂ）において、１０は画像形成用紙としてのインデックス紙であり、図５（ａ）に示すようにインデックス紙１０は、他の部分より幅の狭い耳部１０ａを有する。このようにインデックス紙１０では不連続に用紙幅が変化している。
【００４６】
用紙幅検出手段５７は、用紙幅検出の対象のインデックス紙１０を案内する用紙ガイド板５７ａと、用紙ガイド板５７ａに設けられ光を通過させることができるスリット５７ｂと、用紙ガイド板５７ａのスリット５７ｂ上を通過する用紙の幅を光学的に検出するＬＥＤアレイ５７ｃとを有して構成され、給紙経路のうち感光体ドラム３１よりも前段の所定の位置に設けられる。
【００４７】
インデックス紙１０は、用紙ガイド板５７ａに沿って予め定めた速度（給紙線速）で進み、スリット５７の上を通過するときに、ＬＥＤアレイ５７ｃによって、その幅（紙送り方向と直角の方向の長さ）が検出される。このように、予め定めた速度でインデックス紙１０を搬送することによって、インデックス紙１０の紙送り方向の位置とその位置における用紙幅との関係が得られる。
【００４８】
なお、このように検出した、インデックス紙１０の各部分における用紙幅のうち最大の値を、以下においては「最大通紙幅」という。
【００４９】
ＣＰＵ１０４は、用紙幅の変化を検知した際、用紙幅検出手段５７から転写装置３５の転写極入り口までの距離と、給紙線速とから、インデックス紙１０のうち用紙幅が変化する部分が転写極に到達する時間を計算し、そのタイミングに合わせて転写電流値を変化させるように制御を行う。
【００５０】
また同様に、インデックス紙１０のうち用紙幅が変化する部分が分離装置３６の分離極に到達する時間を計算し、そのタイミングに合わせて分離電流値を変化させるように制御を行う。
【００５１】
ここで、本実施例の好ましい構成条件の一例を示す。
2004085680.tif 000004
この構成条件において転写電流値は数１にしたがって求め、制御するのがよい。
【００５２】
【数１】
転写電流値＝（基準転写電流値）＋（基準転写電流値）×（０．４３Ｘ２−０．７６Ｘ＋０．３３）
数１において、Ｘ＝（検知通紙幅）／（最大通紙幅）であり、基準転写電流値は予め定めた用紙幅が最大通紙幅である場合に用いる転写電流値である。
【００５３】
また、この構成条件において分離電流値は数２にしたがって求め、制御するのがよい。
【００５４】
【数２】
分離電流値＝（基準分離電流値）＋（基準分離電流値）×（０．４３Ｘ２−０．７６Ｘ＋０．３３）
数２において、Ｘ＝（検知通紙幅）／（最大通紙幅）であり、基準分離電流値は予め定めた用紙幅が最大通紙幅である場合に用いる分離電流値である。
【００５５】
以上説明した制御を行うことによって、インデックス紙１０の耳部１０ａに画像形成するような場合であっても十分な転写、分離能力を発揮することができ、画質の劣化を防ぐことができる。
【００５６】
次に、用紙幅検出手段の、図５（ａ）、（ｂ）とは別の例について説明する
図６は、図４に示した第２の実施例における用紙幅検出手段５７の、図５（ａ）、（ｂ）とは別の例を示す図であり、ここでは、用紙幅検出手段１５７として示す。また、図６（ａ）は用紙幅検出手段１５７の斜視図、図６（ｂ）、（ｃ）は用紙幅検出手段１５７の断面図である。
【００５７】
図５（ａ）、（ｂ）に示した例と同様に、１０は画像形成用紙としてのインデックス紙であり、図６（ａ）に示すようにインデックス紙１０は、他の部分より幅の狭い耳部１０ａを有する。
【００５８】
用紙幅検出手段１５７は、用紙幅検出の対象のインデックス紙１０を案内する用紙ガイド板１５７ａと、用紙ガイド板１５７ａに設けられた複数の穴であるスリット１５７ｆと、用紙ガイド板１５７ａのスリット１５７ｆから突出する凸部１５７ｃを有する押下検出手段１５７ｂとを有して構成され、給紙経路のうち感光体ドラム３１よりも前段の所定の位置に設けられる。
【００５９】
押下検出手段１５７ｂの凸部１５７ｃは、上から押されるとそれに応じて下がる構造になっており、図６（ｂ）に示すように、凸部１５７ｃの上部にインデックス紙１０がない場合には、発光素子１５７ｅからの光を受光素子１５７ｄが受光し、図６（ｃ）に示すように、凸部１５７ｃの上部にインデックス紙１０がある場合には、凸部１５７ｃが押し下げられこれによって発光素子１５７ｅからの光が遮られて受光素子１５７ｄに到達せず、これによって凸部１５７ｃが押し下げられたか否かが検出される。
【００６０】
図６（ａ）に示すように、押下検出手段１５７ｂは、紙送り方向と直角方向に複数設けられており、この例では、いくつの凸部１５７ｃが押し下げられたかによって用紙幅を検出することができる構造となっている。
【００６１】
なお、この例において以降の制御は、図５（ａ）、（ｂ）を参照して説明した例と同様であるので、詳しい説明は省略する。
【００６２】
【発明の効果】
以上説明したように、本発明によれば、ＯＨＰ用紙やインデックス紙を画像形成用紙として用いる場合にも、画質、給送信頼性を確保することができる画像形成装置を提供することができる。
【００６３】
すなわち本発明によれば、ＯＨＰ用紙に画像形成する際に白紙の合紙を用いる場合であっても、ＯＨＰ用紙および合紙の感光体からの分離をスムーズに行うことができ、これに起因する紙詰まりをなくすことができるという効果がある。
【００６４】
また本発明によれば、インデックス紙の他の部分よりも幅の狭い耳部に画像形成するような場合であっても十分な転写、分離能力を発揮することができ、画質の劣化を防ぐことができる。
【図面の簡単な説明】
【図１】本発明による画像形成装置の一実施の形態の構成を示す概略断面図である。
【図２】図１に示した画像形成装置の第１の実施例であってＯＨＰ用紙に画像形成する際に合紙を利用する場合の制御に関する構成を示すブロック図である。
【図３】図２に示した第１の実施例における制御概念のタイムチャートを示す図である。
【図４】図１に示した画像形成装置の第２の実施例であってインデックス紙に画像形成する場合の制御に関する構成を示すブロック図である。
【図５】図４に示した第２の実施例における用紙幅検出手段の一例を示す図であり、（ａ）は用紙幅検出手段の斜視図、（ｂ）は用紙幅検出手段の断面図である。
【図６】図４に示した第２の実施例における用紙幅検出手段の、図５（ａ）、（ｂ）とは別の例を示す図であり、（ａ）は用紙幅検出手段の斜視図、（ｂ）、（ｃ）は用紙幅検出手段の断面図である。
【符号の説明】
１　自動原稿搬送部
１１　原稿給紙台
１２　送り出しローラ
１３　レジストローラ
１４　搬送ドラム
１５　排紙台
２　画像読取部
２３ａ　光源
２３ｂ　ミラー
２３　第１ミラーユニット
２４ａ　ミラー
２４ｂ　ミラー
２４　第２ミラーユニット
２５　結像レンズ
２６　撮像素子
２７静止原稿台
３　画像形成部
３１　感光体ドラム
３２　帯電装置
３３　露光装置
４０　現像装置
１９　手差し給紙トレイ
７　本体給紙トレイ
７ａ、７ｂ、７ｃ　本体給紙トレイ
５１Ａ、５１Ｂ、５１Ｃ　給紙ローラ
５５　搬送ローラ
５６　レジストローラ
３９　搬送ローラ
３５　転写装置
４１　除電ランプ（ＴＳＬ）
３６　分離装置
３８　定着装置
３８ａ、３８ｂ　定着用ローラ
３８ｃ　ヒーター
６　排出部
６１　定着排紙ローラ
６４　排紙トレイ
３７　クリーニング装置
１００　高圧電源
１０１、１０３　操作部
１０２、１０４　ＣＰＵ
１０　インデックス紙
１０ａ　耳部
５７　用紙幅検出手段
５７ａ　用紙ガイド板
５７ｂ　スリット
５７ｃ　ＬＥＤアレイ
１５７　用紙幅検出手段
１５７ａ　用紙ガイド板
１５７ｂ　押下検出手段
１５７ｃ　凸部
１５７ｄ　受光素子
１５７ｅ　発光素子
１５７ｆ　スリット
【図１】
2004085680.tif 000005
【図２】
2004085680.tif 000006
【図３】
2004085680.tif 000007
【図４】
2004085680.tif 000008
【図５】
2004085680.tif 000009
【図６】
2004085680.tif 000010